(57)【要約】【課題】回転テーブルにおいて、回転テーブルを支える回転軸構造を省略し、対象物を載置して回転する円板を円滑に回転できるような簡単な構造の回転テーブルを提供すること。【解決手段】基板上で回転する回転テーブルの裏面側に適当数の転車を配設するに当たって、１，回転させる回転テーブルに回転中心点を１つ設定する。２，その回転中心から転車を設ける位置まで線分を引く。３，転車を設ける位置で、その放射する線分に対して直交する線分を引き、配置する転車の車輪が持つ回転軸方向を放射する線分に合わせるとともに、車輪の回転して移動する方向を該直交する線分に合わせる。  上記３ステップに従って転車を配置すれば、本願発明の主旨に沿った回転テーブルができる。【選択図】図１
2006305066.tif 000002
【特許請求の範囲】
【請求項１】
回転テーブルにおいて、
基板上で回転する回転テーブルの該基板と対向する底面に回転中心点を設定すると共に、該回転中心点から転車配置点まで放射方向に延びる直線を設定し、この直線の終点で、この直線と同一の方向に回転軸を持ち、転がり方向が直線と直交する方向の転車を有する回転テーブル。
【請求項２】
上記回転中心点を中心とする円を有し、該回転中心点から放射方向に延びる線と該円との交点で、この線と同一の方向に回転軸を持ち、転がり方向がこの線と直交する方向の転車を有する請求項１に記載の回転テーブル。
【請求項３】
上記回転中心点を有し、該回転中心の両端にそれぞれ焦点を有する楕円を設定し、該楕円の長軸と楕円と交わる点と該楕円の短軸と楕円と交わる点に長軸方向の回転軸を持つ転車と、短軸方向の回転軸を持つ転車をそれぞれ有する請求項１に記載の回転テーブル。
【請求項４】
上記転車の持つ車輪の直径は全て同じ大きさである請求項１に記載の回転テーブル。
【請求項５】
回転テーブルに付設する転車の設定方法において、
１，回転させる回転テーブルに回転中心点を１つ設定する。
２，その回転中心から転車を設ける位置まで線分を引く。
３，転車を設ける位置で、その放射する線分に対して直交する線分を引き、配置する転車の車輪が持つ回転軸方向を放射する線分に合わせるとともに、車輪の回転して移動する方向を該直交する線分に合わせる。
上記ステップを有する請求項１に記載の回転テーブルに用いる転車の設定方法。
【発明の詳細な説明】
【技術分野】
【０００１】
本発明は、回転テーブルに関し、特に、食卓、作業用卓台やテレビ用卓台に適用して好適な回転テーブルとそれに付設する転車の設定方法に関する。
【背景技術】
【０００２】
回転テーブルとして一般的に知られているものとして、例えば、中華料理用回転卓台がある。この回転卓台は、周囲に複数名の人間が座すことの出来る円卓の中心に回転軸を立設固定し、この回転軸に前記円卓より少し小さい回転円卓板を回転自在に取り付け、円卓周縁に座した人間が回転円卓板を回転させてこの上に載置された複数種類の料理の内、所望のものを自己の前に移動させ、その料理を自己の取り皿に移して中華料理を食する。また、ホテル等で、各客室にサービス用としてテレビが配置されている。このテレビも回転卓台に載置されていて、利用客が所望の方向にテレビを回転させてこれを鑑賞する。
【特許文献１】特開２００３−２３０４３１号
【特許文献２】特開２００２−１９１４４０号
【特許文献３】特開２０００−１３９５７４号
【発明の開示】
【発明が解決しようとする課題】
【０００３】
ところで、上記のような従来から使用されている回転テーブルは、何れも大型の基板の中央に丈夫な回転軸を立設し、この回転軸に回転できる円板を回転自在に取り付ける構造である。このような従来の構造は、基礎となる基板と、この基板より少し小さい回転円板を必要とする。また、回転軸が１本であるため回転円盤が大型となると、回転軸にかかるモーメントが大きくなり、円滑に作用させるためには、可成りのしっかりした構造を有する回転軸が必要となる。
【０００４】
本発明は、上述のような従来の欠点を解消しようとするものであり、その目的は、回転テーブルにおいて、回転テーブルを支える回転軸構造を省略し、対象物を載置して回転する円板を円滑に回転できるような簡単な構造の回転テーブルを提供しようとするものである。
【課題を解決するための手段】
【０００５】
上述の発明の目的を達成するため、本願の請求項１に記載の発明は、回転テーブルにおいて、基板上で回転する回転テーブルの該基板と対向する底面に回転中心点を設定すると共に、該回転中心点から転車配置点まで放射方向に延びる直線を設定し、この直線の終点で、この直線と同一の方向に回転軸を持ち、転がり方向が直線と直交する方向の転車を有する回転テーブルを提供する。
本願の請求項２に記載の発明は、請求項１に記載の発明に加えて、上記回転中心点を中心とする円を有し、該回転中心点から放射方向に延びる線と該円との交点で、この線と同一の方向に回転軸を持ち、転がり方向がこの線と直交する方向の転車を有する回転テーブルを提供する。
本願の請求項３に記載の発明は、請求項１に記載の発明に加えて、上記回転中心点を有し、該回転中心の両端にそれぞれ焦点を有する楕円を設定し、該楕円の長軸と楕円と交わる点と該楕円の短軸と楕円と交わる点に長軸方向の回転軸を持つ転車と、短軸方向の回転軸を持つ転車をそれぞれ有する回転テーブルを提供する。
本願の請求項４に記載の発明は、請求項１に記載の発明に加えて、上記転車の持つ車輪の直径は全て同じ大きさである回転テーブルを提供する。
本願の請求項５に記載の発明は、回転テーブルに付設する転車の設定方法において、
１，回転させる回転テーブルに回転中心点を１つ設定する。
２，その回転中心から転車を設ける位置まで線分を引く。
３，転車を設ける位置で、その放射する線分に対して直交する線分を引き、配置する転車の車輪が持つ回転軸方向を放射する線分に合わせるとともに、車輪の回転して移動する方向を該直交する線分に合わせる。
上記ステップを有する請求項１に記載の回転テーブルに用いる転車の設定方法を提供する。
【発明の効果】
【０００６】
本願発明は、回転テーブルの裏面に請求項１に記載のように転車を設けるだけで、簡単に回転テーブル台を構成することが出来、従来のように回転テーブルの中心に回転軸構造を設ける必要はない。
【発明を実施するための最良の形態】
【０００７】
基板上で回転する回転テーブルの裏面側に適当数の転車を配設するに当たって、
１，回転させる回転テーブルに回転中心点を１つ設定する。
２，その回転中心から転車を設ける位置まで線分を引く。
３，転車を設ける位置で、その放射する線分に対して直交する線分を引き、配置する転車の車輪が持つ回転軸方向を放射する線分に合わせるとともに、車輪の回転して移動する方向を該直交する線分に合わせる。
上記３ステップに従って転車を配置すれば、本願発明の主旨に沿った回転テーブルができる。
【実施例１】
【０００８】
次に、本発明の一実施例を図面を用いて詳細に説明する。
図１は、本発明の第１の実施例の底面を示す図である。図１において、１は、回転テーブルとなるテーブル台であり、木合板から成る四角形にカットした板状体の四隅に丸みを付したものである。テーブル台１の中央には、仮想中心点Ｃ１が設けられる。この中心点Ｃ１は仮想であるので、実際に孔などが明いているわけではない。テーブル台１の裏面１’には、仮想の中心点Ｃ１を中心とした円弧２が描かれる。この円弧２上には、均等の配置角度（１２０度）をもって３個の転車３が取り付けられる。この転車３は、回転自在な車輪４を備えており、その車軸５の回転軸方向は、中心点Ｃ１から放射方向に延びる半径線６と同じ方向である。したがって、車輪４の回転方向は、円弧２と半径線６とが接する点における円弧の接線方向７となる。なお、実際の回転テーブルを構成する場合、車輪４は回転方向に円滑に回転するほか、車軸５方向には移動しないのが理想的であるので、滑りにくく、載置される基板に対して大きな摩擦力を発生するような硬質の合成ゴムにより形成すると良い。
【０００９】
次に、本発明の作用について説明する。
図１に示すテーブル台１を、図２に示すように、ひっくり返してその転車３の車輪４を平面状の基板８上に載置する。この状態でテーブル台１上に回転させたい器具９を載置する。そして、器具９又はテーブル台１に手を掛け、矢印Ｘ方向にこれらを押し圧すると、テーブル台１は仮想中心点Ｃ１を中心として、円滑に円回転する。また、テーブル台１を矢印Ｙ方向に直線的に押し圧すると、何れの車輪にも大きな摩擦力が働くため、Ｙ方向に直線動作はしない。
【実施例２】
【００１０】
次に、本発明の第２の実施例を説明する。
図３において、１０は回転テーブルとなる円板台である。この円板台１０は中心点Ｃ２を中心とした真円形状をなす。そして、この中心点を仮想中心点と定め、この仮想中心点Ｃ２を中心として、円弧１１が描かれる。この円弧１１上には、均等の配置角度（１２０度）をもって３個の転車１２が取り付けられる。この転車１２は、回転自在な車輪１３を備えており、その車軸１３の回転軸方向は、中心点Ｃ２から放射方向に延びる半径線１４と同じ方向である。したがって、車輪１３の回転方向は、円弧１１と半径線１４とが接する点における円弧の接線方向１５となる。なお、この第２実施例の作用は、第１の実施例と同じであるので説明は省略する。
【実施例３】
【００１１】
次に、本発明の第３の実施例を説明する。
この実施例では、図４に示すように、回転テーブルとなる四角形テーブル台１６は、第１の実施例とは異なり、角をほとんど取っておらず、回転テーブルの使用面積を可及的に大きくしたものである。このような四角形テーブル台１６を使用する時、隅部に重量物を載置する可能性を排除できない。配置された転車の数が少ないとき、重量があるものを四角形テーブル台１６の端に載置したとき四角形テーブル１６がひっくり返るようなことが起こる可能性がある。このような時の事故を防ぐため、転車１７を四角形テーブル台１６の四隅に配置するように構成する。この実施例でも、四角形テーブル台１６の仮想中心点Ｃ３を設ける。そして、この仮想中心点Ｃ３を中心として、円弧１８が描かれる。この円弧１８上には、均等の配置角度（９０度）をもって４個の転車１７が取り付けられる。この転車１７は、回転自在な車輪２０を備えており、その車輪２０の回転軸方向は、中心点Ｃ３から放射方向に延びる半径線２１と同じ方向である。したがって、車輪２０の回転方向は、円弧１８と半径線２１とが接する点における円弧の接線方向２２となる。なお、この第３の実施例の作用は、第１の実施例と酷似であるので説明は省略する。
【実施例４】
【００１２】
この実施例では、回転テーブルとなる細長テーブル台２３は、図５に示すように、細長状であり、第１の実施例とは形状が異なる。この実施例においても細長テーブル台２３のほぼ中央に、中心点Ｃ４がある。この中心点は、あくまでも仮想のもので、実際に孔などが明いているわけではない。この中心点Ｃ４を中心として、２つの円弧２４、２５が形成される。円弧２４の直径は、細長テーブル台２３の短辺より少し小さい。また、円弧２５の直径は、細長テーブル台２３の長辺より少し短い。円弧２４上で、細長テーブル台２３の短辺と平行な直径直線２６と交わる位置に２個の転車２７、２８が設けられる。この転車２７、２８は、回転自在な車輪２９、３０を備えており、その車軸２９、３０の回転軸方向は、中心点Ｃ４から放射方向に延びる直径直線２６と同じ方向である。したがって、車輪２９、３０の回転方向は、円弧２４と直径直線２６とが接する点における円弧の接線方向となる。
円弧２５上で、細長テーブル台２３の長辺と平行な直径直線３１と交わる位置に２個の転車３２、３３が設けられる。この転車３２、３３は、回転自在な車輪３４、３５を備えており、その車輪３４、３５の回転軸方向は、中心点Ｃ４から放射方向に延びる直径直線３１と同じ方向である。したがって、車輪３４、３５の回転方向は、円弧２５と直径直線３１とが接する点における円弧の接線方向となる。
この実施例は、細長テーブル台２３に棒状の器具を載置するときに便利である。また、この細長テーブル台２３は、楕円形に変形することが出来る。
【実施例５】
【００１３】
この実施例では、図７に示すように、細長テーブル台２３の一方端に、例えば造花などを生ける重量が軽い花瓶などの容器３７が配置され、その他方端に大型のテレビ受像機など、重量が大きな器具３８が載置された場合に有効である。すなわち、図６に示すように、細長テーブル台２３のほぼ中央に、中心点Ｃ４が設定されるのは前記実施例と同じであるが、これを中心とする円弧３９は、細長テーブル台２３の４隅を含むような最大円弧とする。円弧３９の長径４０は、中心点Ｃ４より細長テーブル台２３の隅部までの距離より少し短い。また、重量が大きな器具３８の重量がかかる負荷中心点をＳとすれば、円弧４１は、この負荷中心点Ｓ近傍を通るように描く。そして、該円弧４１の負荷中心点に近い部分に２個或いはこれ以上の適当数の転車４２、４２を配置する。この転車４２、４２は、回転自在な車輪４３、４３を備えており、その車軸４３、４３の回転軸方向は、中心点Ｃ４から放射方向に延びる直径直線４４と同じ方向である。したがって、車輪４３、４３の回転方向は、円弧４１と直径直線４４とが接する点における円弧の接線方向となる。
また、該円弧３９の円弧上で、細長テーブル台２３の四隅に、それぞれ４個の転車４２ａを配置する。これら４個の転車４２ａは、回転自在な車輪４２ｂを備えており、その車軸４２ｂの回転軸方向は、中心点Ｃ４から放射方向に延びる直径直線４０と同じ方向である。したがって、車輪４２ｂの回転方向は、円弧３９と直径直線４０とが接する点における円弧の接線方向となる。
この実施例において、重量が大きな機器の重量はおもに、円弧３９上の２個の転車４２ａと円弧４１上の２個の転車４２が負うことになる。したがって、これら転車の車輪の幅はこれに耐えうるような幅を有する。
【実施例６】
【００１４】
この実施例は、転車の配置が容易で、その設計が容易な実施例である。図８に示すように、回転テーブルとなる回転テーブル台４４の裏面には、Ｘ方向軸４５とＹ方向軸４６とを直交させ、この交点を中心点Ｃ５とする。この中心点Ｃ５を中心として円弧４７を描いておく。この円弧上に上記実施例と同じように転車を配置すれば、これまでに説明した実施例と同じであるが、この実施例では、その円弧４７の内側に、楕円４８を描く。この楕円４８は、回転テーブル台４４の形状の中に含まれる様に描く。そして、この楕円４８の焦点Ｆ、Ｆ’は中心点Ｃ５から等距離にある。楕円４８の長径となるＸ方向軸４５と楕円４８との交点それぞれ２個の転車４９、５０を配置する。また、楕円４８の短径となるＹ方向軸４６と楕円４８との交点に２個の転車５１、５２を配置する。これら４個の転車の回転軸方向は、主軸となるＸ方向軸４５かＹ方向軸４６である。したがって、転車４９、５０の持つ車輪の回転方向は、Ｘ方向軸４５と楕円４８の交わる点における接線方向である。また、転車５１、５２の持つ車輪の回転方向は、Ｙ方向軸４６と楕円４８の交わる点における接線方向である。
このような楕円による転車の配置方法を用いれば、形状がいびつな回転テーブルに転車を３個以上配置する場合、例えば図９に示すようないびつな回転テーブル台５３に３個以上の転車を配置する場合、それら転車の配置位置がこの回転テーブル台５３に入るような適当な大きさの楕円５４を描き、その長軸と短軸と楕円５４とが回転テーブル台５３内で交差する３カ所を見つけだし、その場所に転車５５を配置すればよい。この実施例を採用すれば、２個以上の同心円を描く必要はなく、１個の楕円を描けばことたりる。
【００１５】
以上、本発明を上述の６つの実施の形態により説明したが、これら実施の形態で共通する技術的事項は、
１，回転させる回転テーブルに回転中心点を１つ設定する。
２，その回転中心から転車を設ける位置まで線分を引く。
３，転車を設ける位置で、その放射する線分に対して直交する線分を引き、配置する転車の車輪が持つ回転軸方向を放射する線分に合わせるとともに、車輪の回転して移動する方向を該直交する線分に合わせる。
上記３ステップに従って転車を配置すれば、本願発明の主旨に沿った回転テーブルができる。
また、本発明の主旨の範囲内で種々の変形や応用が可能であり、これらの変形や応用を本発明の範囲から排除するものではない。
【産業上の利用可能性】
【００１６】
本願の回転テーブルは、食卓に適用できるほか、美術品、骨董品を載置する台にも適用でき、この場合、美術品や骨董品の形状になるべく合わせた回転テーブルを提供できる。このほか、孔版印刷において、スクリーンを印刷枠に張設する場合の印刷枠を載置する作業台として使用すると、便利である。
【図面の簡単な説明】
【００１７】
【図１】図１は、本発明の第１実施例の底面図である。
【図２】図２は、本発明の第１実施例の斜視図である。
【図３】図３は、本発明の第２実施例の底面図である。
【図４】図４は、本発明の第３実施例の底面図である。
【図５】図５は、本発明の第４実施例の底面図である。
【図６】図６は、本発明の第５実施例の底面図である。
【図７】図７は、本発明の第５実施例の斜視図である。
【図８】図８は、本発明の第６実施例の底面図である。
【図９】図９は、本発明の第７実施例の底面図である。
【符号の説明】
【００１８】
１・・・テーブル台
１’・・裏面
２・・・円弧
３・・・転車
４・・・車輪
５・・・車軸
６・・・半径線
７・・・接線方向
８・・・平面状の基板
９・・・器具
１０・・・円板台
１１・・・円弧
１２・・・転車
１３・・・車輪
１４・・・半径線
１５・・・接線方向
１６・・・四角形テーブル台
１７・・・転車
１８・・・円弧
１９・・・転車
２０・・・車輪
２１・・・半径線
２２・・・接線方向
２３・・・細長テーブル台
２４・・・円弧
２５・・・円弧
２６・・・直径直線
２７・・・転車
２８・・・転車
２９・・・車輪
３０・・・車輪
３１・・・直径直線
３２・・・転車
３３・・・転車
３４・・・車輪
３５・・・車輪
３７・・・花瓶
３８・・・重量が大きな器具
３９・・・円弧
４０・・・長径
４１・・・円弧
４２・・・転車
４２ａ・・転車
４２ｂ・・車輪
４３・・・車輪
４４・・・回転テーブル台
４５・・・Ｘ方向軸
４６・・・Ｙ方向軸
４７・・・円弧
４８・・・楕円
４９・・・転車
５０・・・転車
５１・・・転車
５２・・・転車
５３・・・回転テーブル台
５４・・・楕円
５５・・・転車
Ｓ・・・・負荷中心点
Ｃ１・・・中心点
Ｃ２・・・中心点
Ｃ３・・・中心点
Ｃ４・・・中心点
Ｃ５・・・中心点
Ｆ、Ｆ’・焦点
【図１】
2006305066.tif 000003
【図２】
2006305066.tif 000004
【図３】
2006305066.tif 000005
【図４】
2006305066.tif 000006
【図５】
2006305066.tif 000007
【図６】
2006305066.tif 000008
【図７】
2006305066.tif 000009
【図８】
2006305066.tif 000010
【図９】
2006305066.tif 000011